(57)【特許請求の範囲】
【請求項１】
底板及び周囲の側板よりなり、上部が開放した廃棄物収納ドラム缶積載移動用容器において、該容器は底板及び四方の側板よりなる方形箱状容器であって、前記底板及び周囲の側板は耐腐食性及び強度に優れた材料で形成され、容器の大きさはドラム缶を底板上に立てた状態で２列で６本収納できる大きさであり、底板は周囲の側板下部に位置し、フォークリフトの爪が底板の下に挿入できるように各側板の下部に複数の開口を設けたことを特徴とする廃棄物収納ドラム缶積載移動用容器。
【請求項２】
側板上部に密閉可能に嵌合する蓋を有する請求項１記載の廃棄物収納ドラム缶積載移動用容器。
【請求項３】
方形箱状容器の各上角部に、係合部材を設けたことを特徴とする請求項１記載の廃棄物収納ドラム缶積載移動用容器。
【請求項４】
耐腐食性及び強度に優れた材料が鋼材である請求項１に記載の廃棄物収納ドラム缶積載移動用容器。
【発明の詳細な説明】
【技術分野】
【０００１】
本発明は、フォークリフト等によって運搬可能な廃棄物収納移動用容器に関するものである。
【背景技術】
【０００２】
近年、廃棄物の不法投棄が環境汚染を助長し、社会問題となっており、この投棄された廃棄物を回収することが急務になっている。特に、硫酸ピッチなどの有害廃棄物は、雨水があたる等の性状変化により致死性の亜硫酸ガスが発生するという問題があり、その不法投棄は人の健康及び生活環境に著しい被害を与える恐れがある。したがって、これら有害廃棄物は回収して処理する必要がある。ところで、これらの有害廃棄物は、通常、貯蔵タンクで保管したり、ドラム缶に詰めて倉庫等の保管場所で保管された後、処理施設に搬送され、処理が行われている。しかしながら、鋼製のドラム缶は、亜硫酸ガス等に対する耐腐食性に劣るという問題があり、長期間の保管中に、或いは運搬中に有害廃棄物が飛散、流出したり、亜硫酸ガスが漏れるという問題があった。また、運搬中に運搬車から転倒したり、または転落しないように固定する必要があった。したがって、有害廃棄物を回収し、貯蔵し或いは運搬する際に使用するための容器の開発が求められている。
【０００３】
ところで、廃棄物その他の危険物を収納するための容器については、従来、種々のものが提案されており、フォークリフト等により容易に運搬できるものも提案されている。例えば、特許文献１には、液体廃棄物を回収するためのフォークリフトで運搬可能な回収容器が提案されており、また、特許文献２には、液体を外部に漏らさずにフォークリフトで運搬できるようにした回収容器が提案されている。しかしながら、これら従来提案されている容器は、有害廃棄物を直接収容したり、ドラム缶に詰められた有害廃棄物を運搬するためのものではなく、しかもその構造は複雑であった。
【特許文献１】特開平６−３４５０８９号公報
【特許文献２】特開２００４−４３０７６号公報
【発明の開示】
【発明が解決しようとする課題】
【０００４】
上記のように、従来、硫酸ピッチ等の有害廃棄物を回収、貯蔵、運搬するための実用的な廃棄物収納移動用容器は存在していなく、その出現が望まれていた。本発明は、従来の技術における上記のような要求、特に硫酸ピッチの回収、貯蔵、運搬に際しての上記の問題を解決することを目的とするものである。すなわち、本発明の目的は、有害廃棄物をドラム缶等に詰めた状態で収納し、フォークリフトで搬送することができる極めて簡単な構造の、耐腐食性及び強度に優れた剛性の廃棄物収納ドラム缶積載移動用容器を提供することにある。
【課題を解決するための手段】
【０００５】
本発明の廃棄物収納ドラム缶積載移動用容器は、耐腐食性及び強度に優れた材料で形成された底板及び周囲の側板よりなり、上部が開放したものであって、底板が周囲の側板下部に位置し、フォークリフトの爪が底板の下に挿入できるように各側板の下部に複数の開口を設けたことを特徴とする。また、該容器の大きさはドラム缶を底板上に立てた状態で２列で６本収納できる大きさであることをも特徴とする。本発明の廃棄物収納ドラム缶積載移動用容器は、側板上部に蓋が密閉可能に嵌合するように構成されていてもよい。本発明において、底板及び周囲の側板は、鋼材等の耐腐食性及び強度に優れた剛性の材料で形成されるのが好ましい。
【０００６】
本発明の廃棄物収納ドラム缶積載移動用容器は、底板及び四方の側板よりなる方形箱状容器であり、上記複数の開口が各側板の下部に設けられたものである。この廃棄物収納ドラム缶積載移動用容器には、他の廃棄物収納ドラム缶積載移動用容器の下角部に係合して積み重ねができるように、方形箱状容器の各上角部に係合部材が設けられていることが好ましい。
本発明の廃棄物収納ドラム缶積載移動用容器においては、側板の下部には複数の開口が設けられるが、その開口にフォークリフトの爪を挿入し回転させて、容器の上下を逆にすることが可能になるので、容器を逆さまにして収納された有害廃棄物を容器から容易に取り出すことができるという利点が生じる。
【発明の効果】
【０００７】
本発明の廃棄物収納ドラム缶積載移動用容器は、上記の構成を有するから、構造が極めて簡単であり、取り扱いやメンテナンスが容易である。また、耐腐食性及び強度に優れた材料で形成することができるから、廃棄物、特に硫酸ピッチ等の有害廃棄物の回収、貯蔵、運搬に際して、有害廃棄物を直接収納することができ、積み重ねた状態で貯蔵することもできる。また、有害廃棄物をドラム缶等に詰めた状態で収納して、フォークリフトで容易に搬送することができる。また、側板の下部の開口にフォークリフトの爪を挿入して回転することにより容器の上下を逆にすることができるので、収納された有害廃棄物の取出しが容易になる。
【発明を実施するための最良の形態】
【０００８】
次に、本発明を実施例によって具体的に説明する。本発明の廃棄物収納ドラム缶積載移動用容器は、底板及び側板より構成されるが、これら底板及び側板は、耐腐食性で強度の強い剛性の材料で形成すればよく、例えば、厚み３．２ｍｍの鋼板によって形成することができる。また、容器には、内部または外部に補強のためのリブまたは補強板を設けてもよい。
【実施例１】
【０００９】
図１は、本発明の廃棄物収納ドラム缶積載移動用容器の一例の斜視図であり、２つの廃棄物収納ドラム缶積載移動用容器が積み重ねられた状態を示している。図２（ａ）は図１の廃棄物収納ドラム缶積載移動用容器の側面図、図２（ｂ）はその上面図である。また、図２（ｃ）はその下面図であり、フォークリフトの爪が挿入された状態を示している。
【００１０】
これらの図について説明すると、図１においては、２つの廃棄物収納ドラム缶積載移動用容器１０ａ、 １０ｂが積み重ねられている。これら各廃棄物収納ドラム缶積載移動用容器は、図２に示すように、底板１及び四方の側板２（２ａ、２ｂ、２ｃ、２ｄ）より構成された方形箱状容器（２０３０ｍｍ×１４５０ｍｍ×高さ５７５ｍｍ）であり、底板１は、側板２ａ、２ｂ、２ｃ、２ｄの下端から１２５ｍｍの位置に固定されている。各側板には、底板が取り付けられた位置よりも下方の位置に、フォークリフトの爪３が挿入できるように２つの開口が設けられている。すなわち、側板２ａ下端近傍には、２つの開口４、４（２００ｍｍ×８５ｍｍ）が設けられ、その他の各側板にも同様に２つの開口が設けられている。なお、６は、底板を支持し、補強するためのリブである。
【００１１】
方形箱状容器の各上角部には、係合部材が５が設けられていて、その容器の上に同一の容器を重ねた場合に係合して移動しないように固定する（図１参照）。
【００１２】
この廃棄物収納ドラム缶積載移動用容器に廃棄物を収納し移動する場合、容器内をビニル系またはポリオレフィン系樹脂シートで覆い、その中に廃棄物を収容するのが好ましい。また、ドラム缶に収容された廃棄物を収納する場合には、ドラム缶ごと容器に収納すればよい。図２（ｂ）において７は、収納された場合のドラム缶を示す。廃棄物を収納した容器は、側板に設けた開口にフォークリフトの爪３を挿入して（図２（ｃ））フォークリフトを操作し、例えばトラックなどの運搬車の荷台に乗せて移動させることができる。
【図面の簡単な説明】
【００１４】
【図１】本発明の廃棄物収納ドラム缶積載移動用容器の一例の斜視図である（実施例１）。
【図２】図１の廃棄物収納ドラム缶積載移動用容器の側面図、上面図および下面図である。
【符号の説明】
【００１５】
１…底板
２、２ａ、２ｂ、２ｃ、２ｄ…側板
３…フォークリフトの爪
４…開口
５…係合部材
６…リブまたは補強板
７…ドラム缶
１０ａ、１０ｂ…廃棄物収納ドラム缶積載移動用容器。
【図１】
0004820594.tif 000002
【図２】
0004820594.tif 000003